(57)【要約】【課題】室内外の小空間で網体フレームと打席フレームを自動もしくは手動で作動して折り畳むことができる打席調整式自動ゴルフ練習場を提供する。【解決手段】床フレーム（２０）に打席フレーム（３０）が取り付けられており、ブレーキギアモータ（３０−１）の作動によって、二つの平歯車（３０−２）と一体化したワイヤホイール（３０−３）が回転し、前記打席フレーム（３０）に付着されたブラケット（３０−７）の前後にそれぞれ連結されたワイヤ（３０−５）を移動させてワイヤホイール（３０−８）に沿って回転させ、前記打席フレーム（３０）に付着されたガイドホイール（３０−６）が回転することにより、前記打席フレーム（３０）が前後に移動することを特徴とする、打席調整式自動ゴルフ練習場。【選択図】図１
2009090056.tif 000002
【特許請求の範囲】
【請求項１】
床フレーム（２０）に打席フレーム（３０）が取り付けられており、ブレーキギアモータ（３０−１）の作動によって、二つの平歯車（３０−２）と一体化したワイヤホイール（３０−３）が回転し、前記打席フレーム（３０）に付着されたブラケット（３０−７）の前後にそれぞれ連結されたワイヤ（３０−５）を移動させてワイヤホイール（３０−８）に沿って回転させ、前記打席フレーム（３０）に付着されたガイドホイール（３０−６）が回転することにより、前記打席フレーム（３０）が前後に移動することを特徴とする、打席調整式自動ゴルフ練習場。
【請求項２】
一体型網体（５０）が固定された網体フレーム（４０）が床フレーム（２０）の上部に設けられており、前記床フレーム（２０）に連結されたブレーキギアモータ（２０−１）の作動によって、二つの平歯車（２０−２）と一体になったワイヤホイール（２０−３）が回転して、前記床フレーム（２０）に付着されたブラケット（２０−７）の前後にそれぞれ連結されたワイヤ（２０−５）を移動させてワイヤホイール（２０−９）に沿って回転させ、前記網体フレーム（４０）がガイドロール（２０−８）の回転によって上下に作動することを特徴とする、打席調整式自動ゴルフ練習場。
【請求項３】
床フレーム（２０）と、前記床フレーム（２０）の上側に付着された網体フレーム（４０）と、打席フレーム（３０）との各コーナーに、六面体形の一体型網体（５０）が網体連結具（５０−１、５０−２、５０−３）によって連結されることを特徴とする、打席調整式自動ゴルフ練習場。
【請求項４】
床面上に立設される駆動部フレーム（１０）と、
前記駆動部フレーム（１０）に対して、前記駆動部フレーム（１０）に沿う位置と床面に沿う位置との間で回転移動可能に取り付けられた床フレーム（２０）と、
前記床フレーム（２０）に取り付けられており、前記床フレーム（２０）が床面に沿った状態において前記床フレームに対して上下方向に移動可能な前記網体フレーム（４０）と、
前記網体フレーム（４０）に取り付けられており、前記網体フレーム（４０）が上昇することによって、ゴルフ練習を行う空間を囲む形状に広げられる一体型網体（５０）と、
前記床フレーム（２０）に取り付けられ、前記床フレーム（２０）に沿って移動可能に設けられており、上面に打席が設けられる打席フレーム（３０）と、
を備える打席調整式自動ゴルフ練習場。
【発明の詳細な説明】
【技術分野】
【０００１】
本発明は打席調整式自動ゴルフ練習場に関する。
【背景技術】
【０００２】
本発明に関連する従来のゴルフ練習場は、特許文献１、２、３に開示されている。しかし、これらは、ゴルフ練習場全体を移動可能としたり、前後に移動可能としたり、折畳み及び展開するだけであり、機能的に限定されたものである。
【０００３】
また、商用化した室内ゴルフ練習場は、そのほとんどが多数のパイプを天井または床に固定して構成される固定式のものであるため、一旦、設置すれば解体しにくいという欠点がある。
【特許文献１】大韓民国特許公開第１０−２００３−００８４３８７号明細書
【特許文献２】大韓民国実用新案公開第２０−０４０７７４７号明細書
【特許文献３】大韓民国実用新案公告第２０−０４１５２２９号明細書
【発明の開示】
【発明が解決しようとする課題】
【０００４】
本発明はこのような従来の問題点を解決するためになされたもので、その目的は、室内外の小空間で網体フレームと打席フレームとを自動もしくは手動で作動して折り畳むことができるように創案された打席調整式自動ゴルフ練習場を提供することにある。
【課題を解決するための手段】
【０００５】
本発明の第１発明に係る打席調整式自動ゴルフ練習場は、床フレーム（２０）に打席フレーム（３０）が取り付けられており、ブレーキギアモータ（３０−１）の作動によって、二つの平歯車（３０−２）と一体化したワイヤホイール（３０−３）が回転し、前記打席フレーム（３０）に付着されたブラケット（３０−７）の前後にそれぞれ連結されたワイヤ（３０−５）を移動させてワイヤホイール（３０−８）に沿って回転させ、前記打席フレーム（３０）に付着されたガイドホイール（３０−６）が回転することにより、前記打席フレーム（３０）が前後に移動することを特徴とする。
【０００６】
本発明の第２発明に係る打席調整式自動ゴルフ練習場は、一体型網体（５０）が固定された網体フレーム（４０）が床フレーム（２０）の上部に設けられており、前記床フレーム（２０）に連結されたブレーキギアモータ（２０−１）の作動によって、二つの平歯車（２０−２）と一体になったワイヤホイール（２０−３）が回転して、前記床フレーム（２０）に付着されたブラケット（２０−７）の前後にそれぞれ連結されたワイヤ（２０−５）を移動させてワイヤホイール（２０−９）に沿って回転させ、前記網体フレーム（４０）がガイドロール（２０−８）の回転によって上下に作動することを特徴とする。
【０００７】
本発明の第３発明に係る打席調整式自動ゴルフ練習場は、床フレーム（２０）と、前記床フレーム（２０）の上側に付着された網体フレーム（４０）と、打席フレーム（３０）との各コーナーに、六面体形の一体型網体（５０）が網体連結具（５０−１、５０−２、５０−３）によって連結されることを特徴とする。
【０００８】
本発明の第４発明に係る打席調整式自動ゴルフ練習場は、駆動部フレーム（１０）と、床フレーム（２０）と、網体フレーム（４０）と、一体型網体（５０）と、打席フレーム（３０）とを備える。駆動部フレーム（１０）は、床面上に立設される部材である。床フレーム（２０）は、駆動部フレーム（１０）に対して、駆動部フレーム（１０）に沿う位置と床面に沿う位置との間で回転移動可能に取り付けられる。網体フレーム（４０）は、床フレーム（２０）に取り付けられており、床フレーム（２０）が床面に沿った状態において床フレームに対して上下方向に移動可能である。一体型網体（５０）は、網体フレーム（４０）に取り付けられており、網体フレーム（４０）が上昇することによって、ゴルフ練習を行う空間を囲む形状に広げられる。打席フレーム（３０）は、床フレーム（２０）に取り付けられ、床フレーム（２０）に沿って移動可能に設けられており、上面に打席が設けられる。
【発明の効果】
【０００９】
本発明は、だれでも簡単な操作でゴルフ練習場を設置することができる。さらに、打席を前後に移動して、打席フレームとターゲットとの間の距離の調整が可能であり、最小限の空間のみでもゴルフ練習を行うことができる。
【００１０】
また、使用しないときは、簡単な操作で網体フレームと打席フレームとを一体化して折り畳むことができ、網体フレームと打席フレームとを元の位置に戻して打席フレームや網体フレームを完全に収納した状態とすることによって、狭小な空間での保管が容易であるという利点がある。
【００１１】
以上のような本発明による打席調整式自動ゴルフ練習場は、固定化したゴルフ練習場から脱し、各フレームの連動によって、どんなゴルファーでも、場所にかかわらず、室内外で簡単な操作のみで設置することができ、ほかの業務、運動または会議室のための空間を最大限活用することができ、体育館、講堂、会議室、事務室などの室内外の様々な移設で使用することができる効果があるものである。
【発明を実施するための最良の形態】
【００１２】
以下、添付図面に示す実施例を参照しながら、本発明による打席調整式自動ゴルフ練習場をより詳細に説明する。
【００１３】
〔構成〕
図１に示すように、本発明の一実施形態に係る打席調整式自動ゴルフ練習場は、駆動部フレーム１０と、床フレーム２０と、一体型網体５０と、網体フレーム４０と、網体上下作動装置と、打席フレーム３０と、打席自動調節装置とから構成される。
【００１４】
駆動部フレーム１０は、床面上に立設された一対の柱状の部材であり、図７に示すように、駆動部フレーム１０を繋ぐように連結ロッド１０−１が設けられている。駆動部フレーム１０内には、油圧ユニット１０−７、油圧ユニット１０−７によって作動される油圧シリンダ１０−４、油圧シリンダ１０−４の動作をチェーン１０−６に伝えるチェーンアタッチメント１０−５、チェーン１０−６の動きによって回転するチェーンスプロケット１０−３が配置されている。上述した連結ロッド１０−１は、チェーンスプロケット１０−３が回転することによって回転するように設けられている。
【００１５】
床フレーム２０は、連結ロッド１０−１を介して駆動部フレーム１０に取り付けられており、図２および図３に示すように、駆動部フレーム１０に対して駆動部フレーム１０に沿う位置と床面に沿う位置との間で回転移動可能に取り付けられている。床フレーム２０は、水平方向に距離を隔てて配置された一対の部材であり、その間には、後述する打席フレーム３０が配置されている。
【００１６】
一体型網体５０は、折り畳み可能であり、広げられた状態ではゴルフボールが外部に飛びださないようにゴルフ練習を行う空間を囲む形状となる（図１および図８参照）。
【００１７】
網体フレーム４０は、一体型網体５０を多数箇所で固定しており、図１および図２に示すように、上下方向に移動可能に設けられている。網体フレーム４０は、床フレーム２０の上部に取り付けられており、床フレーム２０と共に移動可能である。
【００１８】
網体上下作動装置は、網体フレーム４０を上下に移動させるための装置であって、ブレーキギアモータ２０−１、二つの平歯車２０−２、ワイヤホイール２０−３、ワイヤロール２０−４、ワイヤ２０−５、ブラケット２０−６、ガイドロール２０−８、ワイヤロール２０−９等を有する。
【００１９】
打席フレーム３０は、床フレーム２０に取り付けられており、図６に示すように、その上面に打席３−１０が設けられる部材である。打席フレーム３０は、床フレーム２０の間に配置され、床フレーム２０に沿って移動可能に設けられている。
【００２０】
打席自動調節装置は、打席フレーム３０を床フレーム２０に沿って移動させるための装置であって、ブレーキギアモータ３０−１、ワイヤホイール３０−２、二つの平歯車３０−３、ワイヤロール３０―４、ワイヤ３０−５、ブラケット３０−７、ワイヤロール３０−８などを有している。
【００２１】
〔動作〕
駆動部フレーム１０では、図７に示すように、油圧ユニット１０−７のモータの作動によって、チェーンスプロケット１０−３に連結されたチェーンアタッチメント１０−５に連結された油圧シリンダ１０−４が作動し、床フレーム２０に連結された連結ロッド１０−１が回転する。これにより、床フレーム２０が回転移動して床面に沿った状態となり、打席フレーム３０が床面に接触することで打席が構成される。
【００２２】
上記の床フレーム２０が床面に接触すると、図４及び図５に示すように、ブレーキギアモータ２０−１が作動し、二つの平歯車２０−２と一体化したワイヤホイール２０−３が互いに噛み合ったままで回転してワイヤ２０−５を回す。この際、床フレーム２０に取り付けられたワイヤロール２０−９が回転する。ワイヤ２０−５の端部が固定されたブラケット２０−６が引っ込められると、内側のワイヤロール２０−４が回転し、レール内のガイドロール２０−８が引っ込められることにより、網体フレーム４０が上昇する。一体型網体５０は、図８に示すように、網体連結具５０−１、５０−２、５０−３によって網体フレーム４０の各コーナーに固定されており、網体フレーム４０が上昇することにより、ゴルフ練習場の形状となる。
【００２３】
床フレーム２０が床面に接触して、上記のように網体フレーム４０が作動すると、それに連動して、図６に示すように、ブレーキギアモータ３０−１が作動し、二つの平歯車３０−３と一体化したワイヤホイール３０−２が噛み合った状態でワイヤ３０−５を回す。この際、床フレーム２０に取り付けられたワイヤロール３０−８が移転する。ワイヤ３０−５の段部が固定されたブラケット３０−７が引っ込められると、内側のワイヤロール３０―４が回転し、打席フレーム３０が前後に移動する。この際、ゴルファーが打席フレーム３０を自動もしくは手動で調整することができる。
【００２４】
上記のように打席フレーム３０が設置されると、打席フレーム３０の一面に設けられた人造芝３０−１１上に打席３０−１０と、パッティング練習のためのホールカップ３０−９が提供される。
【００２５】
このような構造を有する打席調整式自動ゴルフ練習場は、図１に示すように、油圧シリンダ１０−４によって床フレーム２０が広げられ、網体上下作動装置が作動して網体フレーム４０が上下に作動し、同時に打席自動調節装置が作動して打席フレーム３０が移動することでゴルフ練習場が構成される。打席調整式自動ゴルフ練習場の折畳みは上記と逆順に行われる。
【００２６】
上記の打席調整式自動ゴルフ練習場は、ゴルファーが打席に上る前、網体フレーム４０の上下移動と打席フレーム３０の位置調整を連動させることで、ゴルフ練習場の設置を容易に行うことができ、設置後には打席フレーム３０上に備えられた人造芝３０−１１上に立ってスイングを行うことができる。また、網体フレーム４０に付着された一体型網体５０は、その使用頻度が高くて網体が使えなくなったとき、だれでも容易に入れ替えることができる。
【産業上の利用可能性】
【００２７】
本発明は、室内外の小空間で網体フレームと打席フレームを自動もしくは手動で作動させて折り畳むことができる効果を有し、打席調整式自動ゴルフ練習場として有用である。
【図面の簡単な説明】
【００２８】
【図１】本発明による打席調整式自動ゴルフ練習場を示す斜視図である。
【図２】本発明による打席調整式自動ゴルフ練習場の網体フレームが上下に作動するとともに打席フレームが移動することを示す斜視図である。
【図３】本発明による打席調整式自動ゴルフ練習場を折り畳んだ状態を示す斜視図である。
【図４】本発明による打席調整式自動ゴルフ練習場の網体フレームが自動で上下に作動することを示す斜視図である。
【図５】本発明による打席調整式自動ゴルフ練習場の網体フレームが自動で上下に作動する技術的原理を示す斜視図である。
【図６】本発明による打席調整式自動ゴルフ練習場の打席が前後に移動する技術的原理を示す斜視図である。
【図７】本発明による打席調整式自動ゴルフ練習場の網体フレーム及び打席フレームを折り畳む技術的原理を示す平面図及び側面図である。
【図８】本発明による打席調整式自動ゴルフ練習場の一体型網体を示す斜視図である。
【符号の説明】
【００２９】
１０    駆動部フレーム
２０    床フレーム
３０    打席フレーム
４０    網体フレーム
５０    一体型網体
【図１】
2009090056.tif 000003
【図２】
2009090056.tif 000004
【図３】
2009090056.tif 000005
【図４】
2009090056.tif 000006
【図５】
2009090056.tif 000007
【図６】
2009090056.tif 000008
【図７】
2009090056.tif 000009
【図８】
2009090056.tif 000010